(57)【要約】      （修正有）【課題】二つの部分を有するハンドル構造を持つ自在レンチであって、多くの異なる状況で効果的に使用される能力を持つ調節可能で有用な自在レンチを提供する。【解決手段】自在レンチ１０は、第１工具部材と第２工具部材とを備える。第１工具部材は、第１端部にハンドル部３２を有し、反対側端部にスパナ２０を有し、ハンドル部は第１端部に受け入れ室を有している。第２工具部材は、第１ハンドル部と適合するように構成された第２ハンドル部３４と、アタッチメント延長部５０と、を有する。アタッチメント延長部は、受け入れ室内に挿入されて第２工具部材を第１工具部材に取り外し可能に連結し、取り付けられたときにスパナにさらなるてこ作用を提供する。第１ハンドル部と第２ハンドル部は、取付時に実質的に連続する滑らかな外面を形成するように適合する。【選択図】図１
0003190636.tif 000002
【実用新案登録請求の範囲】
【請求項１】
第１端部にハンドル部を有し、反対側端部にスパナを有する第１工具部材であって、ハンドル部は第１端部に受け入れ室を有している、第１工具部材と、
第１ハンドル部と適合するように構成された第２ハンドル部と、第１端部にあるアタッチメント延長部と、を有する第２工具部材と、を備え、
アタッチメント延長部は、受け入れ室内に挿入されて第２工具部材を第１工具部材に取り外し可能に連結し、取り付けられたときにスパナにさらなるてこ作用を提供し、
第１ハンドル部と第２ハンドル部は、取付時に実質的に連続する滑らかな外面を形成するように適合することを特徴とする自在レンチ。
【請求項２】
アタッチメント延長部は、実質的に円柱形である第１部分と、六角形の外面を有する第２部分と、を有し、受け入れ室の内壁面は、アタッチメント延長部を緊密に受け入れるような協働構造を有することを特徴とする請求項１に記載の自在レンチ。
【請求項３】
アタッチメント延長部はばね押上式のボールをさらに備え、受け入れスロットは、延長部が受け入れスロット内に挿入されるときに、ばね押上式のボールを受け入れるように構成された受け入れ溝をさらに備え、最小の引張力が付加されるまで、第１ハンドル部と第２ハンドル部の間の連結を保持することを特徴とする請求項２に記載の自在レンチ。
【請求項４】
アタッチメント延長部の第２部分と受け入れ室との間の連結は、第２工具部材に対する第１工具部材の回転を防止することを特徴とする請求項３に記載の自在レンチ。
【請求項５】
第１工具部材は、周囲のハンドル部内に包まれた中心軸部を備え、第１ハンドル部材の中心軸部は、その内部に受け入れ室を備えるとともにスパナの一部を形成し、第１ハンドル部の中心軸部は、周囲のハンドル部よりも堅い材料で形成されることを特徴とする請求項１に記載の自在レンチ。
【請求項６】
第２工具部材は、ハンドル部によって囲まれたアタッチメント延長部を有する中心軸構造を備え、第２工具部材の中心軸構造は、第１工具部材の中心軸部の材料と適合する材料で形成されることを特徴とする、請求項５に記載の自在レンチおよび第２工具部材。
【考案の詳細な説明】
【技術分野】
【０００１】
本考案は、レンチに関する。
【背景技術】
【０００２】
効果的で有用な自在工具が、機械工、住宅所有者、および多くの異なる機能を持つ単一の工具を必要とする事実上あらゆる人に望まれている。機械装置および機械構造の作業をする個人は、ボルト、ネジ、ナット、締め具などの取り外しおよび／または取り付けを絶えず必要とし、またこれらの部品のサイズは予測できないことが多い。自在工具および自在レンチはそれ自体非常に有用であるが、これは、工具箱内におよび手元に常に多くの異なる工具を持つ必要性がなくなるからである。
【０００３】
自在工具によって提供される一般的な実用性に加えて、様々なレベルの強度およびてこ作用の必要性についても予測できないことが多い。明らかに、特定の工具のサイズは、特定の目的に対するその工具の有効性および有用性を大きく決定づける。例えば、レンチが大きく（すなわち長く）なるほど、締め具を用いて作業するときにより大きな強度およびてこ作用を容易に提供することができる。しかしながら、狭い空間での作業や小さな締め具を用いる作業のときは特に、大きなレンチが常に適しているわけではない。反対に、小さな工具またはレンチを使用すると、必要なレベルのてこ作用またはトルクが得られない場合がある。
【考案の概要】
【考案が解決しようとする課題】
【０００４】
概述した問題に基づき、様々な状況に適合可能である自在レンチは、工具箱にとって有用な追加物である。このようなレンチは、広範囲の状況で有用である単一の工具を提供する。
【課題を解決するための手段】
【０００５】
本発明の様々な実施形態では、多くの異なる状況に適用可能であり、実行中の作業のタイプにほとんどの場合に適合する自在レンチが提供される。必要な機能を提供するために、自在レンチは、多くの異なる締め具と相互作用可能なレンチ機構（すなわちスパナ）を有する。加えて、状況に適合するように調節可能なハンドル構造が提供される。一実施形態では、狭い空間での作業が必要であるとき、または小さなサイズのレンチが望ましいときに、ハンドルを簡単に分離してより短い長さにすることができる。同様に、さらなるてこ作用および強度が必要とされるときは、より大きい長さのハンドル構成を使用することができる。これらの機能は、とりわけ、選択的に分離することができる二部分のハンドルを利用して所望のサイズおよび強度を与えることによって、一般に実現される。第１ハンドル部は、第１端部に取り付けられたレンチ機構と、反対側端部の第１ハンドル部とを有するように構成されている。さらに、この第１ハンドル部は、レンチ機構の反対側の端部に受け入れスロットを備えている。自在レンチは、その一端から延びる延長部を有する第２ハンドル部を備えている。第１ハンドル部と第２ハンドル部は両方とも、ユーザがレンチを便利につかむことができるようにするグリップ構造を有している。反対側端部（すなわち延長部の反対側）に、第２ハンドル部の追加機能が備えられてもよい。より具体的には、延長部は、受け入れスロットと係合するように独自に構成されていてもよい。別の言い方をすると、延長部と受け入れスロットは、これら二つの部品の間に連結機構を提供する。延長部は、所定の位置で延長部をつかんで保持するばね押上式の機構をさらに備えてもよい。
【０００６】
要約すると、本明細書で説明する様々な実施形態で概要を述べるように、二つの部分を有するハンドル構造を持つ自在レンチは、多くの異なる状況で効果的に使用される能力を持つ調節可能で有用なレンチを提供する。
【０００７】
図面とともに以下の詳細な説明を読むことによって、自在レンチのさらなる利点が理解されるだろう。
【図面の簡単な説明】
【０００８】
【図１】二つのハンドル部が分離した状態の例示的な自在レンチの斜視図である。
【図２】図１に示す自在レンチの側面図である。
【図３】図１に示す自在レンチの反対側の側面図である。
【図４】図１に示す自在レンチの上面図である。
【図５】図１に示す自在レンチの底面図である。
【図６】図１および８に示す自在レンチの第１端面図である。
【図７】図１および８に示す自在レンチの第２端面図である。
【図８】二つのハンドル部を互いに接続したときの自在レンチの斜視図である。
【図９】図８に示す自在レンチの側面図である。
【図１０】図８に示す自在レンチの反対側の側面図である。
【図１１】図８に示す自在レンチの底面図である。
【図１２】図８に示す自在レンチの上面図である。
【考案を実施するための形態】
【０００９】
以下の説明および添付の図面では、自在レンチ１０の一実施形態の機構および特徴についてさらに概説する。一般に、レンチ１０は、ナット、ボルト、ネジおよび多くの異なるタイプの様々な締め具に自在に作用することができるレンチ機構またはスパナ２０を備える。加えて、レンチ１０は、工具の多用途性を高めるように構成されたハンドル構造３０を備える。以下でさらに詳細に述べるように、ハンドル３０は、追加の構造と独自の機能を提供するために、第１部分３２と第２部分３４とを備える。
【００１０】
図面を参照して、図１は、本明細書で説明する機構および特徴を有するレンチ１０の斜視図である。この場合も、自在レンチ１０は、その一端に位置するレンチ構造またはスパナ２０を備える。加えて、自在レンチ１０は、ユーザが工具に容易にアクセスしかつ操作できるように設計されたハンドル３０を備えている。
【００１１】
図１−７は、二つの部品に分離するハンドル３０を持つ自在レンチ１０を示す。第１ハンドル部３２を参照すると、成形ハンドル部４２の中心を中心軸４０が通り抜けている。図示するように、中心軸４０は、成形ハンドル部４２によって包み込まれているので、その一端のみが部分的に示されている。中心軸４０は炭素鋼で構成されることが好ましいが、所望の把持構造を提供するように構成されたポリプロピレンとＴＰＲの組み合わせでハンドルが作成されてもよい。
【００１２】
この場合も、中心軸４０の第１端部にレンチ構造またはスパナ２０が取り付けられている。中心軸４０は、レンチ機構２０の反対側の端部に配置された切り欠きまたは凹部４４を有している。ここからも、グリップ構造４２が中心軸４０を取り囲み包んでいるが、凹部４４にアクセス可能になっていることが分かる。以下でさらに説明するように、凹部４４は、必要なときに、第２ハンドル部３４のアタッチメントを収容する。
【００１３】
図１−７に示すように、第２ハンドル部３４は、延長部５０と、成形グリップまたはハンドル部３６とを備える。明瞭に図示されているように、延長部５０は凹部４４内に受け入れられるような大きさで構成されており、これら二つの部分の間で取り外し可能なカップリングを形成する。理解できるように、延長部５０は、第２ハンドル部３４内に存在する中心構造（図示せず）の一部である。
【００１４】
さらに図解するように、延長部５０は、延長部５０のアタッチメントを凹部４４内に収容するように設計されたカップリングボール５６をさらに備える。このカップリングボール５６は、典型的にばね押上式のボールであり、ハンドルまたはグリップ部４２内の関連する凹部（図示せず）にかみついて、凹部４４内に延長部５０を保持するように簡単に設計されている。
【００１５】
理解できるように、第２ハンドル部３４が第１ハンドル部３２に取り付けられまたは連結されると、自在レンチ１０の全長が大きくなる。これは、図８−１２に最もよく示されている。当然なことに、長さが伸びると、必要な締め具またはコネクタにさらなる力およびてこ作用を加える能力が得られる。代替的に、てこ作用があまり必要でないとき、またはより小さな空間で作業する必要があるときは、第２ハンドル部３４を取り外して、よりコンパクトな自在レンチを提供することができる。
【００１６】
上述したように、第１ハンドル部３２は、延長部５０を受け入れてつかむように構成された凹部４４を備えている。この特定の例では、凹部４４の初期部において連結構造４６がより完全を提供するように存在し、連結構造４６は、第１ハンドル部３２内に所定の距離だけ延びる六角形の凹部を備えている。同様の六角形の構造５４が、シャフト５０の近縁に存在する。理解できるように、シャフト５０が凹部４４内に挿入されると、関連する六角形構造５４と六角形連結構造４６が相互に作用し、これら二つの要素の間を緊密に結合する。より重要なことに、これらの関連する相互作用連結構造は、第２ハンドル部３４に対する第１ハンドル部３２のねじれまたは回転を防止する。理解できるように、これによって、延長した構成すなわち長さを伸ばした構成のときに、自在レンチ１０の強度および機能性が高まる。
【００１７】
詳細を説明するために、および当業者が本発明を利用できるように、本考案の様々な実施形態について上述してきた。開示された実施形態の詳細および機構は、本発明を限定することを意図したものではなく、多くの変形および修正をなし得ることが当業者には直ちに明らかになるだろう。したがって、本開示の範囲は広く解釈されるべきであり、あらゆる変形および修正は、添付の請求項およびその法的な等価物の範囲および精神の範囲内にある。
【図１】
0003190636.tif 000003
【図２】
0003190636.tif 000004
【図３】
0003190636.tif 000005
【図４】
0003190636.tif 000006
【図５】
0003190636.tif 000007
【図６】
0003190636.tif 000008
【図７】
0003190636.tif 000009
【図８】
0003190636.tif 000010
【図９】
0003190636.tif 000011
【図１０】
0003190636.tif 000012
【図１１】
0003190636.tif 000013
【図１２】
0003190636.tif 000014
【手続補正書】
【提出日】平成26年3月17日(2014.3.17)
【手続補正１】
【補正対象書類名】実用新案登録請求の範囲
【補正対象項目名】全文
【補正方法】変更
【補正の内容】
【実用新案登録請求の範囲】
【請求項１】
第１端部にハンドル部を有し、反対側端部にスパナを有する第１工具部材であって、ハンドル部は第１端部に受け入れ室を有している、第１工具部材と、
第１ハンドル部と適合するように構成された第２ハンドル部と、アタッチメント延長部と、を有する第２工具部材と、を備え、
アタッチメント延長部は、受け入れ室内に挿入されて第２工具部材を第１工具部材に取り外し可能に連結し、取り付けられたときにスパナにさらなるてこ作用を提供し、
第１ハンドル部と第２ハンドル部は、取付時に実質的に連続する滑らかな外面を形成するように適合することを特徴とする自在レンチ。
【請求項２】
アタッチメント延長部は、実質的に円柱形である第１部分と、六角形の外面を有する第２部分と、を有し、受け入れ室の内壁面は、アタッチメント延長部を緊密に受け入れるような協働構造を有することを特徴とする請求項１に記載の自在レンチ。
【請求項３】
アタッチメント延長部はばね押上式のボールをさらに備え、受け入れスロットは、延長部が受け入れスロット内に挿入されるときに、ばね押上式のボールを受け入れるように構成された受け入れ溝をさらに備え、最小の引張力が付加されるまで、第１ハンドル部と第２ハンドル部の間の連結を保持することを特徴とする請求項２に記載の自在レンチ。
【請求項４】
アタッチメント延長部の第２部分と受け入れ室との間の連結は、第２工具部材に対する第１工具部材の回転を防止することを特徴とする請求項３に記載の自在レンチ。
【請求項５】
第１工具部材は、周囲のハンドル部内に包まれた中心軸部を備え、第１ハンドル部材の中心軸部は、その内部に受け入れ室を備えるとともにスパナの一部を形成し、第１ハンドル部の中心軸部は、周囲のハンドル部よりも堅い材料で形成されることを特徴とする請求項１に記載の自在レンチ。
【請求項６】
第２工具部材は、ハンドル部によって囲まれたアタッチメント延長部を有する中心軸構造を備え、第２工具部材の中心軸構造は、第１工具部材の中心軸部の材料と適合する材料で形成されることを特徴とする、請求項５に記載の自在レンチ。
【手続補正２】
【補正対象書類名】図面
【補正対象項目名】図１
【補正方法】変更
【補正の内容】
【図１】
0003190636.tif 000015